(57)【要約】【課題】迷惑メールの受信者の申し立てに基づいて迷惑メールの水際での阻止、つまり発信側メールサーバの段階で迷惑メールを排除するメールサーバ管理システムを提供する。【解決手段】この迷惑メール送信停止機能を有するメールサーバ管理システムは、第１ユーザによって作成された電子メールをインターネット４を経由して宛先人としての第２ユーザに送信するメールサーバ２０と、前記第１ユーザを差出人とする前記第２ユーザ宛の電子メールの送信停止を求める前記第２ユーザからの申し立てを確認するとともに確認された前記申し立てに基づいて前記第１ユーザによる前記第２ユーザ宛の電子メールの送信停止コマンドを前記メールサーバに与えるメール送信停止処理部４１とを備えている。【選択図】　図１
2004015419.tif 000002
【特許請求の範囲】
【請求項１】
第１ユーザによって作成された電子メールをインターネットを経由して宛先人としての第２ユーザに送信するメールサーバと、前記第１ユーザを差出人とする前記第２ユーザ宛の電子メールの送信停止を求める前記第２ユーザからの申し立てを確認するとともに確認された前記申し立てに基づいて前記第１ユーザによる前記第２ユーザ宛の電子メールの送信停止コマンドを前記メールサーバに与えるメール送信停止処理部とが備えられていることを特徴とする迷惑メール送信停止機能を有するメールサーバ管理システム。
【請求項２】
インターネット上に点在する複数のメールサーバに加入しているユーザのメールアドレスを管理するデータベースサーバと、第１ユーザを差出人とする第２ユーザ宛の電子メールの送信停止を求める前記第２ユーザからの申し立てを確認するとともに確認された前記申し立てに基づいて前記第１ユーザによる前記第２ユーザ宛の電子メールの送信停止を記述した特定メール送信停止スクリプトを作成して前記第１ユーザが加入しているメールサーバに送信するメール送信停止処理部とが備えられていることを特徴とする迷惑メール送信停止機能を有するメールサーバ管理システム。
【請求項３】
前記第１ユーザを差出人とする前記第２ユーザ宛の電子メールの送信停止申し立てとこの申し立ての確認のためのページ文書をインターネットに提供するＷＷＷサーバが備えられていることを特徴とする請求項１又は２に記載の迷惑メール送信停止機能を有するメールサーバ管理システム。
【請求項４】
前記送信停止申し立てに基づいて申立人としての第２ユーザの情報やこの迷惑メールに関する情報などを管理するデータベース化されたメール送信停止管理ファイルが作成されることを特徴とする請求項１〜３のいずれかに記載の迷惑メール送信停止機能を有するメールサーバ管理システム。
【請求項５】
前記メール送信停止管理ファイルには送信停止されるべき電子メールの処理モードが規定されていることを特徴とする請求項４に記載の迷惑メール送信停止機能を有するメールサーバ管理システム。
【請求項６】
前記メール送信停止処理部は、前記送信停止コマンドとして前記メール送信停止管理ファイルから前記メールサーバによって処理される特定メール送信停止スクリプトを作成して前記メールサーバに送信することを特徴とする請求項１に記載の迷惑メール送信停止機能を有するメールサーバ管理システム。
【発明の詳細な説明】
【０００１】
【発明の属する技術分野】
本発明は、特定差出人から特定宛先人への迷惑メールのインターネット上での流通を停止させるメールサーバ管理システムに関する。
【０００２】
【従来の技術】
ＩＳＰ（インターネットサービスプロバイザ）等で管理されたメールサーバを利用してインターネット経由の電子メール（以下単にメールと称する）を利用するユーザが増大するにともない、嫌がらせ目的の大量の無意味なメール（スパムメール）又は誹謗・中傷のメールや大容量のメール（メール爆弾）や興味のないダイレクトメールといった迷惑メールのインターネット上の流通が急増している。このような迷惑メールの受信自体が不安や不快感を生じさせる煩わしいものであるが、さらにユーザ端末とメールサーバとの接続時間で課金を受ける場合では経済的な被害も受けることになる。
【０００３】
一般的にメールサーバは、インターネット上でＴＣＰ／ＩＰをベースとする電子メールのやりとりをＳＭＴＰと呼ばれるプロトコルに基づいて行うＳＭＴＰサーバとこのＳＭＴＰサーバに届いた電子メールのユーザ端末からの取り出しをＰＯＰと呼ばれているプロトコルに基づいて行うＰＯＰサーバとから構成されている。例えば、第１のユーザから第２のユーザにメールを送る場合、第１ユーザの端末に搭載されているメールソフトによってメールが作成されるとともにこの作成されたメールは第１ユーザが登録加入しているメールサーバのＳＭＴＰサーバに送信される。次にこのメールはＳＭＴＰサーバによってインターネットを経由して宛先人である第２ユーザが登録加入しているメールサーバのＳＭＴＰサーバへ送信された後、そのメールサーバのＰＯＰサーバに転送される。このＰＯＰサーバから第２ユーザの端末に搭載されたメールソフトによって自分宛のメールが取り出されることで第２ユーザは第１ユーザからのメールを最終的に受信（開封）することができる。
【０００４】
このようなメールサーバを介した電子メールシステムにおいて迷惑メールを拒絶する方策として、特定の条件を満たした又は満たさないメールだけを通過させるフィルタリングが利用されている。このフィルタリングは、受信者（上の例では第２ユーザ）が登録加入しているメールサーバのＳＭＴＰサーバとＰＯＰサーバの間に適用され、フィルタリングの条件は受信者又はメールサーバ管理者によって設定される。このフィルタリングにより、特定の差出人からのメールはメールボックスに着信させないようにできる。
【０００５】
【発明が解決しようとする課題】
しかしがら、上述したフィルタリングでは迷惑メールのメール送信アドレスの偽造、変造、改ざん等によってすり抜けられてしまう。フィルタリング条件を件名や本文中の特定の語句としても確実な迷惑メール拒絶策とはならない。しかも上述したような迷惑メール拒絶策は、受信側のメールサーバによるフィルタリングであり、特定発信者による迷惑メールがインターネット上に点在するメールサーバまで送信されることには変わりなく、このような迷惑メールによるインターネット資源（通信容量）の無駄使いや点在する多数のメールサーバにおけるフィルタリング設定のわずらわしさを解消するには至っていない。
上記実状に鑑み、本発明の課題は、迷惑メールの受信者の申し立てに基づいて迷惑メールの水際での阻止、つまり発信側メールサーバの段階で迷惑メールを排除するメールサーバ管理システムを提供することである。
【０００６】
【課題を解決するための手段】
上記課題を解決するため、本発明による迷惑メール送信停止機能を有するメールサーバ管理システムでは、第１ユーザによって作成された電子メールをインターネットを経由して宛先人としての第２ユーザに送信するメールサーバと、前記第１ユーザを差出人とする前記第２ユーザ宛の電子メールの送信停止を求める前記第２ユーザからの申し立てを確認するとともに確認された前記申し立てに基づいて前記第１ユーザによる前記第２ユーザ宛の電子メールの送信停止コマンドを前記メールサーバに与えるメール送信停止処理部とが備えられている。
【０００７】
この構成では、迷惑メールを受け取った受信者である第２ユーザは、この迷惑メールの発信者である第１ユーザが登録加入しているメールサーバを管理しているメールサーバ管理システムに対して第１ユーザを差出人とし第２ユーザを宛先人とする電子メールの送信を停止することを申し立てる。ログデータのチェックや対象迷惑メールのメールヘッダー情報のチェックなどによりこの申し立てが正当であると確認されると、このメールサーバに対して、具体的な１例としてはＳＭＴＰサーバに対して第１ユーザによる第２ユーザ宛の電子メールの送信を停止させるコマンドが与えられる。これにより、以後このような迷惑メールは第１ユーザの端末からＳＭＴＰサーバへ送信された後、インターネットを経由する以後の送信は停止され、迷惑メールによるインターネット資源の無駄使いは回避される。しかもその際、第２ユーザ（複数で存在している場合が多い）が登録加入しているメールサーバでのフィルタリング等の処理は全く不必要である。
【０００８】
迷惑メールが一般に不特定多数に送信されていることを考慮するならば、迷惑メールの差出人が登録加入しているメールサーバの管理システムには、頻繁かつ多くのユーザからの送信停止申し立てがあると考えられる。また、その申し立て時には感情的なやり取りが生じがちである。このため、このような多くのユーザからの申し立てをいつでもどこからでも受けて、冷静につまり機械的に処理する必要がある。このような目的にかなった本発明による好適な実施形態では、前記第１ユーザを差出人とする前記第２ユーザ宛の電子メールの送信停止申し立てとこの申し立ての確認のためのページ文書をインターネットに提供するＷＷＷサーバが備えられている。
【０００９】
また、頻繁かつ多くのユーザからの送信停止申し立てを迅速かつ確実に処理するための１つの方策として、本発明の好適な実施形態の１つでは、前記送信停止申し立てに基づいて申立人としての第２ユーザの情報やこの迷惑メールに関する情報などをを管理するデータベース化されたメール送信停止管理ファイルが作成される。その際、例えば、第２ユーザの情報としては第２ユーザの氏名やメールアドレスなどが挙げられるし、迷惑メールに関する情報としてはこの迷惑メールのヘッダー情報やこの迷惑メールの差出人のメールアドレス、それに差出人のメールアドレスが不明の場合にはメールサーバユーザアカウントなどが挙げられる。上述したようなデータベース化されたメール送信停止管理ファイルを利用することで、迷惑メール加害者や迷惑メール被害者の統計的な管理が容易となるばかりか、迷惑メール加害者追放の重要な証拠としても利用できる。
【００１０】
前記メール送信停止管理ファイルに送信停止されるべき電子メールの処理モード、例えばその場で消去、差出人に返送、一時的保管のため特定のメールボックスに転送などのうちから、メール送信停止対象となっている登録加入ユーザとの契約条項等に照らし合わせて最適な処理モードを規定しておくことで、事後のトラブルを最小にすることができる。
【００１１】
前記メール送信停止処理部が、メールサーバ、具体的にはＳＭＴＰサーバに送信する送信停止コマンドとしては、前記メール送信停止管理ファイルに基づいて作成されたメールサーバによって処理される特定メール送信停止スクリプトが好ましい。これは、ＳＭＴＰサーバ等のメールサーバには制御用スクリプト言語処理機能が共通的に採用されているので、この制御スクリプト言語で記述された特定メール送信停止スクリプトを作成送信することで既設のメールサーバの変更を伴わずに本発明による迷惑メール送信停止機能をメールサーバに付与することができるからである。
【００１２】
上述した例では、メール送信停止処理部はＩＳＰ等で管理されたメールサーバに対して専用に作用するものとして説明されていたが、このような迷惑メール送信者又はその予備軍は多くの個別のメールサーバの登録加入ユーザ群の中に含まれている。このため、ＩＳＰ又はその種のインターネット接続団体毎にこのようなメールサーバ管理システムを独立的に構築することは、得策ではない。最も好ましいのは、個別のメールサーバを統括するような迷惑メール送信停止機能を有するメールサーバ管理システムが構築されることである。この目的を果たすため、本発明では、さらに、インターネット上に点在する複数のメールサーバに加入しているユーザのメールアドレスを管理するデータベースサーバと、第１ユーザを差出人とする第２ユーザ宛の電子メールの送信停止を求める前記第２ユーザからの申し立てを確認するとともに確認された前記申し立てに基づいて前記第１ユーザによる前記第２ユーザ宛の電子メールの送信停止を記述した特定メール送信停止スクリプトを作成して前記第１ユーザが加入しているメールサーバに送信するメール送信停止処理部とから構成されている迷惑メール送信停止機能を有するメールサーバ管理システムも提案している。
【００１３】
この構成では、迷惑メールを受け取ったユーザは、厳密に迷惑メール発信元のメールサーバを特定しなくても、多くのケースにおいて、差出人メールアドレスに基づいてこのメールサーバ管理システムに迷惑メール送信停止の申し立てをするだけで、迷惑メール送信停止の対象となるメールサーバを検索抽出して、必要な特定メール送信停止スクリプトをそのメールサーバに送信し、以後の迷惑メールの送信を停止させることも可能となる。
【００１４】
本発明によるその他の特徴及び利点は、以下図面を用いた実施形態の説明により明らかになるだろう。
【００１５】
【発明の実施の形態】
図１には、ＩＳＰ（インターネットサービスプロバイダ）のメールサービスシステムとして構築された本発明による迷惑メール送信停止機能を有するメールサーバ管理システム１０と、このようなメールサービスシステム１０又は通常のメールサービスシステムの仲介のもとでインターネット４を経由するメールのやり取りを行うユーザ端末１が示されている。ユーザ端末１には、インターネットメールを行うためのメーラーソフト２やＷＷＷ情報を取り扱うブラウザソフト３が搭載されている。
【００１６】
メールサーバ管理システム１０は、基本的な構成として、メールサーバ２０、ＷＷＷサーバ３０、アプリケーションサーバ４０、データベースサーバ５０、ＤＮＳサーバ６０などの各種サーバを備えている。メールサーバ２０は、インターネット４上でＴＣＰ／ＩＰをベースとする電子メールのやりとりをＳＭＴＰと呼ばれるプロトコルに基づいて行うＳＭＴＰサーバ２１とこのＳＭＴＰサーバ２１に届いた電子メールのユーザ端末１からの取り出しをＰＯＰと呼ばれているプロトコルに基づいて行うＰＯＰサーバ２２とから構成されている。メールサーバ２０は１台のコンピュータによって構築することができ、ＳＭＴＰサーバ２１の実体はＭＴＡ（Ｍｅｓｓａｇｅ　Ｔｒａｎｓｆｅｒ　Ａｇｅｎｔ）プログラムであり、ＰＯＰサーバ２２の実体はＭＵＡ（Ｍａｉｌ　Ｕｓｅｒ　Ａｇｅｎｔ）プログラムである。
【００１７】
インターネット４では各ユーザ端末１にビット配列によって構成されたＩＰアドレスが割り与えられているが、このＩＰアドレスが人間にとって覚えにくいことからアルファベットや数字からなる何らかの意味に関連付けた語句で表現されたドメイン名が採用されており、これらのドメイン名とＩＰアドレスとの変換を行うためにＤＮＳ（Ｄｏｍａｉｎ　Ｎａｍｅ　Ｓｙｓｔｅｍ）サーバ６０が用いられている。ＤＮＳサーバ６０の実体はドメイン名などの情報を管理するプログラムと要求に従って名前解決（ドメイン名とＩＰアドレスとの変換）を行うネームリゾルバというシステムルーチンである。なお、各ユーザに割り当てられているメールアドレス・・・＠・・・の＠の右側がドメイン名を表している。この実施形態ではｘｘ＠ｍｉｎａｍｉ．ｃｏｍというメールアドレスを有する第１ユーザのユーザ端末を１ａとし、ａａ＠ｋｉｔａ．ｃｏｍというメールアドレスを有する第２ユーザのユーザ端末を１ｂとしておく。従って、第１ユーザ（ユーザ端末１ａ）が登録加入しているメールサーバ２０のドメイン名はｍｉｎａｍｉ．ｃｏｍであり、第２ユーザ（ユーザ端末１ｂ）が登録加入しているメールサーバ２０のドメイン名はｋｉｔａ．ｃｏｍである。
【００１８】
以下の説明では、迷惑メールを受け取った受信者は第２ユーザ（ユーザ端末１ｂ）であり、この迷惑メールの送信者である第１ユーザ（ユーザ端末１ａ）は本発明によるメールサーバ管理システム１０のメールサーバ２０に登録加入しており、第２ユーザがこのメールサーバ管理システム１０に対して第１ユーザ（ｘｘ＠ｍｉｎａｍｉ．ｃｏｍ）から第２ユーザ（ａａ＠ｋｉｔａ．ｃｏｍ）への電子メールの送信を停止することを申し立てることによってＳＭＴＰサーバ２１に対する第２ユーザ宛の電子メールの送信を停止させるメール送信停止スクリプトが発行されるケースとする。
【００１９】
本発明を特徴付ける重要な機能を提供するアプリケーションサーバ４０には、後で詳しく説明する迷惑メールの送信を停止する申し立てに応じて例えば第１ユーザによる第２ユーザ宛の電子メールの送信を停止させるコマンド、つまり特定メール送信停止スクリプトを作成してＳＭＴＰサーバ２１に与えるメール送信停止処理部４１と、ＷＷＷサーバ３０から得られた情報をデータベースサーバ５０に記録したりデータベースサーバ５０から抽出した情報をＷＷＷサーバ３０に与えたりするデータベース管理部４２が構築されている。
【００２０】
データベースサーバ５０は登録加入者ファイル５１とメール送信停止申し立てファイル５２とメール送信停止管理ファイル５３を備えており、それぞれのデータ構造は図２に模式的に示されている。登録加入者ファイル５１の各レコードには、レコード番号、登録加入者のメールアドレス、パスワード、登録加入者名、登録加入者住所などの登録加入者に関する各種情報を格納するフィールドが含まれている。メール送信停止申し立てファイル５２の各レコードには、レコード番号、メール送信停止申立人メールアドレス、申立人名、申し立て確認日、メール送信停止対象者メールアドレス、迷惑メールのメールヘッダー情報、迷惑メールの差出人メールサーバユーザアカウント（これはメールヘッダー情報とサーバ設定情報から特定することができる）、さらに申し立て確認時に利用される申し立てパスワードなどのフィールドが含まれており、登録加入者ファイル５１とメール送信停止申し立てファイル５２はそれぞれメールアドレスとメール送信停止対象者メールアドレスがリンクされたリレーショナルなデータベースを構成している。メール送信停止管理ファイル５３の各レコードには、レコード番号、差出人メールアドレス、宛先メールアドレス、差出人メールサーバユーザアカウント、送信停止期間、送信停止対象メール処理、申し立てパスワードなどのフィールドが含まれている。送信停止期間フィールドには、無期限や送信停止期間の始まりと終了を示す年月日などが値として入力される。送信停止対象メール処理フィールドには、送信停止されるべき電子メールの処理モード、例えばその場で消去、差出人に返送、一時的保管のため特定のメールボックスに転送などのうちから、メール送信停止対象となっている登録加入ユーザとの契約条項等に照らし合わせて最適な処理モードが入力される。
【００２１】
次に、図３のフローチャートを用いて、このメールサーバ管理システム１０における迷惑メール送信停止の手順を説明する；
まず第２ユーザ（ユーザ端末１ｂ）がスパムメール、誹謗・中傷のメール、メール爆弾、興味のないダイレクトメールといった迷惑メールを受信することからこの迷惑メール送信停止の手続きがスタートする（＃０１）。この迷惑メールのヘッダから差出人（送信元）のメールアドレス（ここではｘｘ＠ｍｉｎａｍｉ．ｃｏｍ）を調べ、＠より右側に記載されたドメイン（ｍｉｎａｍｉ．ｃｏｍ）から差出人である第１ユーザが登録加入しているメールサーバを管理しているＩＳＰを特定する（＃０２）。次に、このＩＳＰに対して第１ユーザ（ユーザ端末１ａ）を差出人とし第２ユーザを宛先人とするメールの送信を停止することを申し立てる（＃０３）。
【００２２】
メール送信停止の申し立ては、このＩＳＰ、つまりメールサーバ管理システム１０内に構築されているＷＷＷサーバ１０を通じて行うことができる。このＷＷＷサーバ１０は、図４に示すようなメール送信停止申し立てページを提供しているので、第１ユーザはユーザ端末１ｂのブラウザソフト３を用いてこのページにアクセスし、メール送信停止申立人メールアドレス、メール送信停止申立人氏名、メール送信停止対象メールアドレス、受け取った迷惑メールのヘッダー情報、メール送信停止期間などの項目を記入ないしはコピーし、送信ボタンを押すことでメール送信停止の申し立てが完了する。この例では、メール送信停止申立人メールアドレス欄にはａａ＠ｋｉｔａ．ｃｏｍが、メール送信停止対象メールアドレス欄にはｘｘ＠ｍｉｎａｍｉ．ｃｏｍが記入される。メール送信停止期間は無期限と有期限に区分けされており、特定期間のメール送信停止を希望する場合はその設定期間を記入する。
【００２３】
このメール送信停止申し立てページを通じてメール送信停止の申し立てが行われると、これらの記入データはデータベース管理部４２の仲介のもとでメール送信停止申し立てファイル５２に記録される。これによりメール送信停止の申し立てが受理されたことになる（＃０４）。
【００２４】
続いて、このメール送信停止申し立てが正当であるかどうかを確認するため、登録加入者ファイルから当該差出人がこのメールサーバ２０の登録加入者であるかどうか、さらにメールログファイルや対象迷惑メールのヘッダー情報等から、ｘｘ＠ｍｉｎａｍｉ．ｃｏｍからａａ＠ｋｉｔａ．ｃｏｍへのメール送信の存在などがチェックされる。これらのチェックがパスすると、このメール送信停止の申し立てが正当なものと見なされるとともに、メール送信停止申立人（第２ユーザ）に対して確認メールが送信される。この確認メールには、メール送信停止申し立て内容確認のために作成されたメール送信停止確認ページのＵＲＬや、そのページの内容を見るための申し立てパスワードが記載されている。確認メールを受け取ったメール送信停止申立人がパスワード入力によって表示されるメール送信停止確認ページの内容を確認し、確認ボタンを押すことで確認処理が完了し、その確認日時がメール送信停止申し立てファイル５２に記録される（＃０５）。このような確認作業は、第３者が不正に第１ユーザから第２ユーザへのメール送信を停止させるような行為を防止するために有効である。
【００２５】
確認されたメール送信停止申し立ては、その申し立てデータをメール送信停止申し立てファイル５２からメール送信停止管理ファイル５３に転記される。その際、送信停止対象メール処理フィールドには、第１ユーザとＩＳＰとの契約条項等に照らし合わせて、ここでは消去処理が記録される（＃０６）。
【００２６】
このメール送信停止申し立てを実施するため、メール送信停止処理部４１がメール送信停止管理ファイル５３にアクセスし、該当レコードを読み出し、そのレコード内容からｘｘ＠ｍｉｎａｍｉ．ｃｏｍからａａ＠ｋｉｔａ．ｃｏｍへのメールを送信せずに消去処分するスクリプトを作成し、ＳＭＴＰサーバ２１に送信する（＃０７）。これにより、ｘｘ＠ｍｉｎａｍｉ．ｃｏｍからａａ＠ｋｉｔａ．ｃｏｍへのメールはメールサーバ２０から送信されなくなる。
【００２７】
次に図６を用いて、本発明による迷惑メール送信停止機能を有するメールサーバ管理システム１０の他の実施形態を説明する。
先に実施形態と較べて異なる点は、このメールサーバ管理システム１０がインターネット４上に点在する多くのＩＳＰ等が管理するメールサーバ２０によって共同利用される構成となっていることである。つまり、このメールサーバ管理システム１０内に構築されているデータベースサーバ５０の登録加入ファイル５１にはこのメールサーバ管理システム１０を共同利用しているメールサーバ２０に登録加入している全てのユーザのメールアドレスなどの個人情報が記録されている。そして、先に実施形態の説明と同様な手順で、第２ユーザからのメール送信停止申し立てが確認されると、このメールサーバ管理システム１０内に構築されているメール送信停止処理部４１がメール送信停止管理ファイル５３にアクセスし、該当レコードを読み出し、そのレコード内容からｘｘ＠ｍｉｎａｍｉ．ｃｏｍからａａ＠ｋｉｔａ．ｃｏｍへのメールを送信せずに消去処分するスクリプトを作成する。この作成されたメール送信停止スクリプトは、第１ユーザが登録加入しているドメイン（ｍｉｎａｍｉ．ｃｏｍ）を管理しているＩＳＰ（インターネットサービスプロバイダ）に、具体的にはそこに設置されているアプリケーションサーバ４０内に構築されているスクリプト処理部４３にインターネット４（他の通信網を利用しても良い）を経由して送信される。スクリプト処理部４３が受け取ったメール送信停止スクリプトがメールサーバ２０のＳＭＴＰサーバ２１に転送されることで以後このＳＭＴＰサーバ２１はｘｘ＠ｍｉｎａｍｉ．ｃｏｍからａａ＠ｋｉｔａ．ｃｏｍへのメールの送信を停止し、そのメールを消去する。
【００２８】
このような構成を採用すると、各ＩＳＰが個別に迷惑メール送信停止機能を有するメールサーバ管理システムを構築する必要がないのでコスト的な負担が軽減するし、さらには、大部分のＩＳＰが参加した場合実質的には迷惑メールの差出人メールアドレス又は迷惑メールのヘッダー情報を提示するだけでメールサーバ管理システム１０が迷惑メール送信元のメールサーバを特定することができるので、迷惑メール送信停止申立人が迷惑メール送信元のメールサーバを特定する負担も軽減する。
【００２９】
本発明で用いられている迷惑メールは、スパムメールやメール爆弾や興味のないダイレクトメールといった迷惑メールとして広く認識されたものに限定されて解釈されるべきではなく、例えば、所定期間の間だけ特定の差出人からのメールの送信を停止したいといった極めて個人的な理由による迷惑メールも含まれるものである。
また、メールサーバ２０の構成例としてＳＭＴＰサーバ２１やＰＯＰサーバ２２を挙げているが、他のプロトコルで動作するサーバでもよく、本発明の重要な点は、迷惑メールを、受信側のメールサーバではなく発信側のメールサーバの段階で排除することである。
【図面の簡単な説明】
【図１】本発明による迷惑メール送信停止機能を有するメールサーバ管理システムの１つの実施形態における概略構成を示す模式図
【図２】メール送信停止データベースの模式的なデータ構造を示すデータ構造図
【図３】メールサーバ管理システムの処理手順を示すフローチャート
【図４】メール送信停止申し立てのためのページ画面を示すモニタ画面図
【図５】メール送信停止申し立て確認のためのページ画面を示すモニタ画面図
【図６】本発明によるメールサーバ管理システムの他の実施形態における概略構成を示す模式図
【符号の説明】
１　ユーザ端末
１ａ第１ユーザのユーザ端末
１ｂ第１ユーザのユーザ端末
１０　迷惑メール送信停止機能を有するメールサーバ管理システム
２０　メールサーバ
２１　ＳＭＴＰサーバ
２２　ＰＯＰサーバ
３０　ＷＷＷサーバ
４０　アプリケーションサーバ
４１　メール送信停止処理部
４２　データベース管理部
４３　スクリプト処理部４３
５０　データベースサーバ
５１　登録加入者ファイル
５２　メール送信停止申し立てファイル
５３　メール送信停止管理ファイル
６０　ＤＮＳサーバ
【図１】
2004015419.tif 000003
【図２】
2004015419.tif 000004
【図３】
2004015419.tif 000005
【図４】
2004015419.tif 000006
【図５】
2004015419.tif 000007
【図６】
2004015419.tif 000008